(57)【要約】      （修正有）【課題】折り畳んで収納でき、コップの開口から容易に落下することがなく、フィルターがコップの内部のコーヒーの液面に接しないコーヒードリッパーを提供する。【解決手段】コイル状の本体１００を備え、本体は、金属ワイヤを軸方向に螺旋に巻くことによって構成され、円錐状部１０と、支持部２０と、を備え、円錐状部は金属ワイヤを螺旋状に複数層にわたり回転させて形成され、回転の直径は、支持部へ徐々に縮径し、支持部は、三つの脚部２１を備え、各脚部は、軸方向を巻く螺旋部２１１と、螺旋部から軸方向を離れて外へ延びる延長部２１２と、を備え、螺旋部と延長部とが順次に軸方向を巻いて螺旋状に連接され、三つの延長部は、等しい角度の間隔で配列され、各延長部は、軸方向から遠く離れた一端が、円錐状部から離れた方向へ湾曲されて止め部２１３を構成し、円錐状部の最小の直径は、脚部の螺旋部の直径より小さい。【選択図】図１
0003225078.tif 000002
【実用新案登録請求の範囲】
【請求項１】
コイル状の本体を備え、前記本体は、金属ワイヤを軸方向を螺旋に巻くことよって構成され、前記本体は、一体に連接される、円錐状部と、支持部と、を備え、前記円錐状部は複数の回転を備え、これらの前記回転の直径は、前記支持部へ徐々に縮径し、前記支持部は、三つの脚部を備え、前記各脚部は、前記軸方向を巻く螺旋部と、前記螺旋部から前記軸方向を離れて外へ延びる延長部と、を備え、これらの前記脚部は、前記螺旋部と前記延長部とが順次に前記軸方向を巻いて螺旋状に連接され、前記三つの延長部は、等しい角度の間隔で配列され、前記各延長部は、前記軸方向から遠く離れた一端が、前記円錐状部から離れた方向へ湾曲されて止め部を構成し、前記円錐状部の最小の直径は、これらの前記脚部の螺旋部の直径より小さいことを特徴とするコーヒードリッパー。
【請求項２】
前記円錐状部は、少なくとも八つの前記回転を備えることを特徴とする、請求項１に記載のコーヒードリッパー。
【請求項３】
前記延長部の幅は、前記軸方向から離れたほど縮小することを特徴とする、請求項１に記載のコーヒードリッパー。
【請求項４】
前記止め部の幅は、その自由端へ徐々に縮小することを特徴とする、請求項３に記載のコーヒードリッパー。
【請求項５】
前記止め部は、連接段と、末端段と、を備え、前記連接段は、前記延長部と前記末端段との間に連接されており、前記連接段の幅の徐々に縮小する速さは、前記末端段の幅の徐々に縮小する速さより小さく、前記末端段はＶ字形を呈することを特徴とする、請求項４に記載のコーヒードリッパー。
【請求項６】
前記円錐状部の螺旋ピッチは、前記支持部の螺旋ピッチより大きいことを特徴とする、請求項１から５のいずれか１項に記載のコーヒードリッパー。
【請求項７】
側面から前記脚部を観察する場合に、前記延長部と前記止め部のなす角は、６０〜７０度範囲であることを特徴とする、請求項１から５のいずれか１項に記載のコーヒードリッパー。
【請求項８】
前記円錐状部の最大直径は、最小直径の２.５〜３.５倍範囲であり、前記円錐状部の前記軸方向に沿う高さは、最小直径の２〜３倍範囲であり、前記延長部の径方向長さは、前記円錐状部の最小直径の１〜１.５倍範囲であり、前記止め部の径方向長さは、前記延長部の径方向長さの０.２５〜０.５倍範囲であることを特徴とする、請求項１から５のいずれか１項に記載のコーヒードリッパー。
【請求項９】
前記円錐状部は、少なくとも八つの前記回転を備え、前記円錐状部の螺旋ピッチは、前記支持部の螺旋ピッチより大きく、側面から前記脚部を観察する場合に、前記延長部と前記止め部のなす角は、６０〜７０度範囲であり、前記円錐状部の最大直径は、最小直径の２.５〜３.５倍範囲であり、前記円錐状部の前記軸方向に沿う高さは、最小直径の２〜３倍範囲であり、前記延長部の径方向長さは、前記円錐状部の最小直径の１〜１.５倍範囲であり、前記止め部の径方向長さは、前記延長部の径方向長さの０.２５〜０.５倍範囲であり、前記連接段の径方向長さは、前記延長部の径方向長さの０.１５〜０.２倍範囲であり、前記末端段の径方向長さは、前記延長部の径方向長さの０.１〜０.１５倍範囲であり、前記連接段の最大幅は、前記延長部の最大幅の０.５〜０.７５倍範囲であり、前記末端段の最大幅は、前記延長部の最大幅の０.１２〜０.１５倍範囲であることを特徴とする、請求項５に記載のコーヒードリッパー。
【考案の詳細な説明】
【技術分野】
【０００１】
本考案は、コーヒードリッパーに関するものである。
【背景技術】
【０００２】
近年、コーヒーを飲む国民はどんどん増えているため、コーヒーの関連産業は大繁栄となる。コーヒー好きな国民は、地球環境を保全するために、家や事務者でコーヒーを入れることがどんどん増えている。自動コーヒーメーカー以外に、ドリップタイプのフィルターコーヒーも国民に愛用されている。コップの開口にドリップタイプのフィルターコーヒーを掛けてお湯で淹れると、数分間待たずに美味しいコーヒーを飲むことができる。しかし、ドリップタイプのフィルターコーヒーは、地球環境の保全に良くなく、且つコーヒー粉が予め研磨されたため、鮮度が落ち、そして消費者の好みに合わない可能性がある。
【０００３】
このため、ドリッパーおよびフィルターを利用して、自分で選んだコーヒー豆を淹れて飲むことはトレンドになる。これは、好きなコーヒー豆をその場で研磨でき、そしてコーヒー豆の量を調整することもできる。広汎に利用されているコーヒードリッパーは、例えば台湾実用新案Ｍ５０１８０９号、意匠Ｄ１７７９１３号、実用新案Ｍ５５７０８０号などが提案された。これらは、互いに連接する、立設台と、ドリッパーと、を備え、立設台とドリッパーとの間にコップを置いて、ドリッパーからのコーヒー液体を受けるが、このような構造は、体積がより大きいため、収納が容易ではなく、そして異なる高さを持つコップに対応することもできない。異なる高さを持つコップに対応できるようにするために、台湾実用新案Ｍ５５８０２９号は、円錐状を呈するドリッパーを提案した。これは、コップの開口にドリッパーを係合してコーヒーを淹れることができるが、体積は大きく、且つ円錐状の部分はコップの内部に伸び込む。円錐状の部分がコーヒーの液面と接することを回避するために、コップの収容可能なコーヒーが減少する。
【０００４】
これに対して、台湾実用新案Ｍ３９４７８４号及びＭ２７８３５１号は、金属ワイヤを螺旋状に湾曲して、円錐状を呈するドリッパーを構成するものが提案された。これらは、コップの開口に置いてコーヒーを淹れることができ、そして折り畳んで収納することができるため、携帯性は良い。しかし、このような構造は、脚部が、平面状を呈し、コップの開口に平行なため、ドリッパーは、水平にスライドされて落下する可能性があり、且つ円錐状の部分がコップの内部に伸び込むため、コップの収容可能なコーヒーが減少する。
【先行技術文献】
【特許文献】
【０００５】
【特許文献１】台湾実用新案Ｍ５０１８０９号公報
【特許文献２】台湾意匠Ｄ１７７９１３号公報
【特許文献３】台湾実用新案Ｍ５５７０８０号公報
【特許文献４】台湾実用新案Ｍ３９４７８４号公報
【特許文献５】台湾実用新案Ｍ２７８３５１号公報
【考案の概要】
【考案が解決しようとする課題】
【０００６】
本考案の主な目的は、折り畳んで収納することが可能であり、コップの開口から容易に落下することができず、フィルターがコップの内部のコーヒーの液面に接しないコーヒードリッパーを提供することにある。
【課題を解決するための手段】
【０００７】
本考案に係るコーヒードリッパーによると、コイル状の本体を備え、本体は、金属ワイヤを軸方向に螺旋に巻くことよって構成され、本体は、一体に連接される、円錐状部と、支持部と、を備え、円錐状部は金属ワイヤを螺旋状に複数層にわたり回転させて形成され、これらの回転の直径は、支持部へ徐々に縮径し、支持部は、三つの脚部を備え、各脚部は、軸方向を巻く螺旋部と、螺旋部から軸方向を離れて外へ延びる延長部と、を備え、これらの脚部は、螺旋部と延長部とが順次に軸方向を巻いて螺旋状に連接され、三つの延長部は、等しい角度の間隔で配列され、各延長部は、軸方向から遠く離れた一端が、円錐状部から離れた方向へ湾曲されて止め部を構成し、円錐状部の最小の直径は、これらの脚部の螺旋部の直径より小さいことを特徴とする。
【０００８】
本考案に係るコーヒードリッパーによると、円錐状部は、少なくとも金属ワイヤの８層の回転を含むことを特徴とする。
【０００９】
本考案に係るコーヒードリッパーによると、延長部の幅は、軸方向から離れたほど縮小することを特徴とする。
【００１０】
本考案に係るコーヒードリッパーによると、止め部の幅は、その自由端へ徐々に縮小することを特徴とする。
【００１１】
本考案に係るコーヒードリッパーによると、止め部は、連接段と、末端段と、を備え、連接段は、延長部と末端段との間に連接されており、連接段の幅の徐々に縮小する速さは、末端段の幅の徐々に縮小する速さより小さく、末端段はＶ字形を呈することを特徴とする。
【００１２】
本考案に係るコーヒードリッパーによると、円錐状部の螺旋ピッチは、支持部の螺旋ピッチより大きいことを特徴とする。
【００１３】
本考案に係るコーヒードリッパーによると、側面から脚部を観察する場合に、延長部と止め部のなす角は、６０〜７０度範囲であることを特徴とする。
【００１４】
本考案に係るコーヒードリッパーによると、円錐状部の最大直径は、最小直径の２.５〜３.５倍範囲であり、円錐状部の軸方向に沿う高さは、最小直径の２〜３倍範囲であり、延長部の径方向長さは、円錐状部の最小直径の１〜１.５倍範囲であり、止め部の径方向長さは、延長部の径方向長さの０.２５〜０.５倍範囲であることを特徴とする。
【００１５】
本考案に係るコーヒードリッパーによると、円錐状部は、少なくとも金属ワイヤの８層の回転を含み、円錐状部の螺旋ピッチは、支持部の螺旋ピッチより大きく、側面から脚部を観察する場合に、延長部と止め部のなす角は、６０〜７０度範囲であり、円錐状部の最大直径は、最小直径の２.５〜３.５倍範囲であり、円錐状部の軸方向に沿う高さは、最小直径の２〜３倍範囲であり、延長部の径方向長さは、円錐状部の最小直径の１〜１.５倍範囲であり、止め部の径方向長さは、延長部の径方向長さの０.２５〜０.５倍範囲であり、連接段の径方向長さは、延長部の径方向長さの０.１５〜０.２倍範囲であり、末端段の径方向長さは、延長部の径方向長さの０.１〜０.１５倍範囲であり、連接段の最大幅は、延長部の最大幅の０.５〜０.７５倍範囲であり、末端段の最大幅は、延長部の最大幅の０.１２〜０.１５倍範囲であることを特徴とする。
【考案の効果】
【００１６】
本考案に係るコーヒードリッパーによれば、構造が簡単であり、折り畳んで携帯することができ、特に、三つの脚部が同じ角度を置いて配列されるため、円錐状部を安定的に支持することができ、下方へ湾曲された止め部により、コーヒードリッパーが水平にスライドされても、落下せず、ユーザーが火傷しないようにすることができ、そしてフィルターがコーヒーの液面に接しないため、コップの収容可能なコーヒーの量を増加することができるという効果を有する。
【図面の簡単な説明】
【００１７】
【図１】本考案に係るコーヒードリッパーを示す斜視図である。
【図２】本考案に係るコーヒードリッパーを別の視点から見た斜視図である。
【図３】本考案に係るコーヒードリッパーを示す断面図である。
【考案を実施するための形態】
【００１８】
以下、本考案の実施の形態を図面に基づいて説明する。
【００１９】
図１から図３を参照する。本考案に係るコーヒードリッパーは、コイル状の本体１００を備える。本体１００は、金属ワイヤを軸方向に螺旋に巻くことよって構成される。本体１００は、一体に連接される、円錐状部１０と、支持部２０と、を備える。円錐状部は金属ワイヤを螺旋状に複数層にわたり回転させて形成される。これらの回転１１の直径は、支持部２０へ徐々に縮径する。支持部２０は、三つの脚部２１を備える。各脚部２１は、前記軸方向を巻く螺旋部２１１と、螺旋部２１１から前記軸方向を離れて外へ延びる延長部２１２と、を備える。これらの脚部２１は、螺旋部２１１と延長部２１２とが順次に前記軸方向を巻いて螺旋状に連接される。三つの延長部２１２は、等しい角度の間隔で配列される。各延長部２１２は、前記軸方向から遠く離れた一端が、円錐状部１０から離れた方向へ湾曲されて止め部２１３を構成する。円錐状部１０の最小の直径は、これらの脚部２１の螺旋部２１１の直径より小さい。
【００２０】
詳細的には、於本実施形態に係る円錐状部１０は、少なくとも金属ワイヤの８層の回転１１を含む。円錐状部１０の螺旋ピッチは、支持部２０の螺旋ピッチより大きい。各脚部２１の延長部２１２の幅は、前記軸方向から離れたほど縮小する。止め部２１３の幅は、その自由端へ徐々に縮小する。すなわち、各脚部２１の幅は、延長部２１２から止め部２１３へ徐々に縮小する。具体的には、止め部２１３は、連接段２１３１と、末端段２１３２と、を備える。連接段２１３１は、延長部２１２と末端段２１３２との間に連接されている。連接段２１３１の幅の徐々に縮小する速さは、末端段２１３２の幅の徐々に縮小する速さより小さい。末端段２１３２は、Ｖ字形を呈する。
【００２１】
より具体的には、側面から脚部２１を観察する場合に、延長部２１２と止め部２１３のなす角は、６０〜７０度範囲であり、円錐状部１０の最大直径は、最小直径の２.５〜３.５倍範囲であり、円錐状部１０の前記軸方向に沿う高さは、最小直径の２〜３倍範囲であり、延長部２１２の径方向長さは、円錐状部１０の最小直径の１〜１.５倍範囲であり、止め部２１３の径方向長さは、延長部２１２の径方向長さの０.２５〜０.５倍範囲であることが好ましい。そして止め部２１３の詳細な寸法は、連接段２１３１の径方向長さは、延長部２１２の径方向長さの０.１５〜０.２倍範囲であり、末端段２１３２の径方向長さは、延長部２１２の径方向長さの０.１〜０.１５倍範囲であり、連接段２１３１の最大幅は、延長部２１２の最大幅の０.５〜０.７５倍範囲であり、末端段２１３２の最大幅は、延長部２１２の最大幅の０.１２〜０.１５倍範囲である。
【００２２】
次に、図３を参照しながら、使用方法を説明する。三つの脚部２１がコップ３００の開口を跨ってコップ３００の開口の外まで延びるように、コップ３００の開口に本体１００を直接に置く。下方へ湾曲された止め部２１３により、本体１００が水平にスライドされても、コップ３００から落下することができない。次に、円錐状部１０の内部に、開かれたフィルター２００を置いて、フィルター２００にコーヒー粉を入れて、コーヒーを淹れることができる。支持部２０が円錐状部１０の下方に位置するため、フィルター２００がコップ３００の内部に過度に伸び込んで、コーヒーの液面と接することを回避することができる。
【００２３】
使用した後、円錐状部１０は、金属ワイヤを円錐状な螺旋に成形されたものなため、折り畳んで収納することができ、体積を大幅に減少でき、携帯性が大幅に向上し、アウトドアでも利用することが可能である。
【００２４】
本考案に係るコーヒードリッパーによれば、構造が簡単であり、折り畳んで携帯することができ、特に、三つの脚部が同じ角度を置いて配列されるため、円錐状部を安定的に支持することができ、下方へ湾曲された止め部により、コーヒードリッパーが水平にスライドされても、落下せず、ユーザーが火傷しないようにすることができ、そしてフィルターがコーヒーの液面に接しないため、コップの収容可能なコーヒーの量を増加することができる。
【００２５】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２６】
１０    円錐状部
１１    回転
２０    支持部
２１    脚部
１００    本体
２００    フィルター
２１１    螺旋部
２１２    延長部
２１３    止め部
３００    コップ
２１３１    連接段
２１３２    末端段
【図１】
0003225078.tif 000003
【図２】
0003225078.tif 000004
【図３】
0003225078.tif 000005